(57)【要約】【課題】水道の蛇口から流出する水の飛び散りを防止する蛇口用アタッチメントの提供。【解決手段】本体１０と蛇口接続部２２とを有する蛇口用アタッチメント１において、本体１０内に蛇口接続部２２を介して蛇口４０に連通する水路１２を形成する。そして、水路１２を第１の分岐水路１４と第２の分岐水路１６とに分岐させ、第１の分岐水路１４の流路に第１の分岐水路１４を流れる水の流量と流速を調整する可変絞り弁１９を設け、第１の分岐水路１４の出口１５によって、第２の分岐水路１６の出口１７の周囲を取り囲む。【選択図】  図１
0003165452.tif 000002
【実用新案登録請求の範囲】
【請求項１】
水道の蛇口に接続される蛇口接続部と、水道の蛇口に連通する水路と、を有し、
前記水路が、前記水路の入口又は前記水路の入口よりも下流側において、第１の分岐水路と第２の分岐水路とに分岐しており、
前記第１の分岐水路の流路上に、前記第１の分岐水路を流れる水の流量と流速とのうちのいずれか一方又は両方を調整する第１の制御部を有し、
前記第１の分岐水路の出口と前記第２の分岐水路の出口とが、別々に形成されており、
前記第１の分岐水路の出口が、前記第２の分岐水路の出口の周囲を取り囲んで配置されていることを特徴とする蛇口用アタッチメント。
【請求項２】
前記第１の分岐水路の出口が、一本又は複数本のスリット状に形成された出口であることを特徴とする請求項１に記載の蛇口用アタッチメント。
【請求項３】
前記第２の分岐水路の出口が、一本又は複数本のスリット状に形成された出口であることを特徴とする請求項１又は請求項２に記載の蛇口用アタッチメント。
【請求項４】
前記水路又は前記第２の分岐水路の流路上に、前記第２の分岐水路を流れる水の流量と流速とのうちのいずれか一方又は両方を調整する第２の制御部を有することを特徴とする請求項１から請求項３のうちのいずれかの請求項に記載の蛇口用アタッチメント。
【考案の詳細な説明】
【技術分野】
【０００１】
本考案は、水道の蛇口に装着して使用する蛇口用アタッチメントに関する。
【背景技術】
【０００２】
一般家庭の台所の流しにおいて主婦が食器を洗ったりする際、主婦は、先ず、洗剤で食器の汚れを落とす。その後、水道の蛇口から流出する水によって食器についた洗剤を洗い流す。蛇口から直接流出する水は、下向きの一本の太い水流となっている。そこで、主婦は、洗剤がついた食器を蛇口から流出する水流の真下に置き、食器に満遍なく水をかけて洗剤を洗い流す。
蛇口から流出する水流をシャワー状にすれば、食器に満遍なく水をかけやすくなる。かかる目的を達成するために、水道の蛇口に取り付けるシャワーヘッドが提唱されている（特許文献１を参照）。
【先行技術文献】
【特許文献】
【０００３】
【特許文献１】特開２００６−２１９８８７号公報
【考案の概要】
【考案が解決しようとする課題】
【０００４】
しかし、水道の蛇口から流出する一本の太い水流を直接食器にかける場合であっても、シャワーヘッドからシャワー状になって流出する水を食器にかける場合であっても、以下に述べる問題が存在する。
水道の蛇口の開度を大きくすれば、水の流量が多くなり、食器についた洗剤を短時間のうちに洗い流すことができる。水道の蛇口の開度を小さくすれば、水の流量が少なくなり、食器についた洗剤を洗い流すのに長い時間がかかってしまう。そこで、汚れた食器が多量にある場合などは、主婦は、水道の蛇口の開度を大きくし、食器洗いに要する時間を短縮しようとする。
【０００５】
しかし、水道の蛇口の開度を大きくすると、水の流速と流量が大きくなり、周囲に水しぶきが飛び散りやすくなる。かかる問題は、水道の蛇口にシャワーヘッドを取り付けるか否かに関係なく発生する。
本考案は、上記問題を解決するものであり、その目的とするところは、水道の蛇口から流出する水が周囲に飛び散ることを防止可能な蛇口用アタッチメントを提供することである。
【課題を解決するための手段】
【０００６】
本考案は、その課題を解決するために以下のような構成をとる。請求項１の考案に係る蛇口用アタッチメントは、水道の蛇口に接続される蛇口接続部と、水道の蛇口に連通する水路と、を有し、前記水路が、前記水路の入口又は前記水路の入口よりも下流側において、第１の分岐水路と第２の分岐水路とに分岐しており、前記第１の分岐水路の流路上に、前記第１の分岐水路を流れる水の流量と流速とのうちのいずれか一方又は両方を調整する第１の制御部を有し、前記第１の分岐水路の出口と前記第２の分岐水路の出口とが、別々に形成されており、前記第１の分岐水路の出口が、前記第２の分岐水路の出口の周囲を取り囲んで配置されている。
【０００７】
第１の分岐水路の出口が、前記第２の分岐水路の出口の周囲を取り囲んで配置されている。このため、第１の分岐水路の出口から流出する水は、第２の分岐水路の出口から流出する水を取り囲むようにして落下する。
第１の制御部によって第１の分岐水路を流れる水の流量と流速とのうちのいずれか一方又は両方を調整することにより、第１の分岐水路の出口から流出する水の流量や流速を小さくすることができる。第１の分岐水路の出口から流出する水の流量や流速を小さくすることにより、第１の分岐水路の出口から流出する水が物に当たっても、物に当たった水の飛び散りを防止できる。
【０００８】
第１の制御部は、例えば、絞りや弁によって形成することができる。そして、絞りや弁の開度が可変であれば、第１の分岐水路を流れる水の流量や流速を容易に変更できる。また、第１の制御部として、例えば、第１の分岐水路を流れる水流に抵抗を与える物体を第１の分岐水路に設置することも可能である。かかる物体として、例えば、互いに連通する孔を有する多孔質体を用いることができる。多孔質体が第１の制御部をなす場合、この多孔質体の空隙率を変えれば、第１の分岐水路を流れる水流の流量や流速を変更できる。
【０００９】
第２の分岐水路の出口から流出する水の流量や流速が大きければ、第２の分岐水路の出口から流出する水が物に当たると、水しぶきが周囲に飛び散ろうとする。しかし、第２の分岐水路の出口から流出する水の周囲は、第１の分岐水路の出口から流出する水によって取り囲まれている。このため、第２の分岐水路の出口から流出する水が物体に当たって周囲に飛び散ろうとすると、この飛び散ろうとする水は、第１の分岐水路の出口から流出する水に当たる。そして、第２の分岐水路の出口から流出して周囲に飛び散ろうとする水は、第１の分岐水路の出口から流出する水と一緒に落下する。第２の分岐水路の出口から流出する水は、第１の分岐水路の出口から流出する水を突き抜けての外側に飛び散ることができない。
【００１０】
蛇口接続部は、水道の蛇口の形状と対応した形状を有しており、蛇口接続部から水が漏れ出ることが無ければよい。例えば、蛇口接続部が蛇口と係合可能な形状の弾性部材によって形成されていてもよい。蛇口接続部が、蛇口に螺子止め可能な構成であってもよい。蛇口接続部が互いに螺合可能な雌螺子と雄螺子とからなり、雌螺子と雄螺子によって蛇口接続部が蛇口に接続される構成であってもよい。
【００１１】
請求項２の考案に係る蛇口用アタッチメントは、請求項１に記載の蛇口用アタッチメントであって、前記第１の分岐水路の出口が、一本又は複数本のスリット状に形成された出口である。
第１の分岐水路の出口が、一本又は複数本のスリット状に形成されているので、第１の分岐水路の出口から流出する水は、カーテン状をなして落下する。第１の分岐水路の出口から流出する水がカーテン状をなして落下することにより、第２の分岐水路の出口から流出して周囲に飛び散ろうとする水は、第１の分岐水路の出口から流出する水に必ず当たることになる。
第１の分岐水路のスリット状の出口の開口幅や開口長さを可変とすることにより、第１の分岐水路の出口から流出する水の流れの状態を調整することが可能である。
【００１２】
請求項３の考案に係る蛇口用アタッチメントは、請求項１又は請求項２に記載の蛇口用アタッチメントであって、前記第２の分岐水路の出口が、一本又は複数本のスリット状に形成された出口である。
第２の分岐水路の出口が、一本又は複数本のスリット状に形成されているので、第２の分岐水路の出口から流出する水は、カーテン状をなして落下する。第２の分岐水路の出口から流出する水がカーテン状をなして落下するので、第２の分岐水路の出口から流出する水が、皿などの広い面積の物体に効率よくかかる。
第２の分岐水路のスリット状の出口の開口幅や開口長さを可変とすることにより、第２の分岐水路の出口から流出する水の流れの状態を調整することが可能である。
【００１３】
請求項４の考案に係る蛇口用アタッチメントは、請求項１から請求項３のうちのいずれかの請求項に記載の蛇口用アタッチメントであって、前記水路又は前記第２の分岐水路の流路上に、前記第２の分岐水路を流れる水の流量と流速とのうちのいずれか一方又は両方を調整する第２の制御部を有する。
第２の制御部は、例えば、絞りや弁によって形成することができる。そして、絞りや弁の開度が可変であれば、第２の分岐水路を流れる水の流量や流速を容易に変更できる。例えば、第２の分岐水路を流れる水の流量や流速を零とすれば、水が第１の分岐水路の出口からのみ流れ出る。
【考案の効果】
【００１４】
上記のような蛇口用アタッチメントであるので、水道の蛇口から流出する水が周囲に飛び散ることを防止できる。
【図面の簡単な説明】
【００１５】
【図１】蛇口用アタッチメントの構造図である。
【図２】第１の分岐水路の出口及び第２の分岐水路の出口の構成図である。
【図３】蛇口用アタッチメントの使用状態の説明図である。
【考案を実施するための形態】
【００１６】
本考案の実施の形態を図１、図２（ｉ）及び図３を参照しつつ説明する。
図１及び図２（ｉ）に示すように、蛇口用アタッチメント１は、略円筒形をなす本体１０と、本体１０の上面１０Ｕに形成された蛇口接続部２２とを有する。
本体１０の内部には水路１２が形成されており、水路１２の上流側端部が上面１０Ｕ上に開口している。本体１０の内部において、水路１２は途中で第１の分岐水路１４と第２の分岐水路１６とに分岐している。
【００１７】
第１の分岐水路１４の流路上に、第１の制御部をなす可変絞り弁１９が設置されている。可変絞り弁１９は第１の分岐水路１４を流れる水の流量を調整可能に構成されている。
第２の分岐水路１６の流路上に、第２の制御部をなす可変絞り弁２０が設置されている。可変絞り弁２０は第２の分岐水路１６を流れる水の流量を調整可能に構成されている。
第１の分岐水路１４の下流側端部が出口１５として本体１０の下面１０Ｌ上に開口している。出口１５は、一本の連続する円形の線状のスリットによって形成されている。第２の分岐水路１６の下流側端部が出口１７として本体１０の下面１０Ｌ上に開口している。出口１７は、一本の連続する円形の線状のスリットによって形成されている。
【００１８】
下面１０Ｌ上において、出口１７は出口１５の外側に位置し、出口１５のスリットと出口１７のスリットとが二重の円を描いている。
蛇口接続部２２は、互いに螺合可能な雌螺子２３と雄螺子２４とからなる。雌螺子２３が本体１０の上面１０Ｕ上に固定されている。雌螺子２３の螺子穴２３Ｈが水路１２の上流側端部の開口穴に連通している。雄螺子２４の軸方向を穴２４Ｈが貫通している。穴２４Ｈの内周面は蛇口４０の先端部の外周面と対応した形状を有し、雄螺子２４は蛇口４０の端部の外側に装着されている。
雄螺子２４が雌螺子２３に螺合し、蛇口４０の先端部に蛇口用アタッチメント１が蛇口接続部２２を介して固定されている。
【００１９】
蛇口用アタッチメント１は上述した構成を有している。次に、図１、図２（ｉ）及び図３を参照しつつ蛇口用アタッチメント１の作用効果について説明する。
例えば、主婦が蛇口４０から水を流して皿５０を洗う場合、先ず、可変絞り弁１９の開度を調節し、第１の分岐水路１４を流れる水の流量を小さくする。可変絞り弁１９の好ましい具体的な開度は、出口１５から流出する水流ＷＡが皿５０の面に直角に当たったとしても、水が周辺に飛び散らない開度である。
【００２０】
可変絞り弁１９がこのような開度であれば、出口１５から流出する水流ＷＡは、およそカーテン状に略円筒形をなして落下する（図３を参照）。
また、可変絞り弁２０の開度は、任意の開度とする。皿５０を強い水流で洗いたければ、可変絞り弁２０の開度を大きくし、第２の分岐水路１６を流れる水の流量を大きくすればよい。
【００２１】
出口１７から流出する水流ＷＢは、およそカーテン状に略円筒形をなして落下する。水流ＷＢによって形成される水の円筒は、水流ＷＡによって形成される水の円筒の内側に位置する（図３を参照）。水流ＷＢが強い水流であれば、水流ＷＢの水は皿５０に当たり飛沫ＷＤとなって周囲に飛び散ろうとする。しかし、飛沫ＷＤは、水流ＷＡによって形成される水の円筒に内側から当たり、水流ＷＡとともに落下し、水流ＷＡによって形成される水の円筒の外側にまで飛び散らない。
【００２２】
したがって、主婦は水の飛び散りを気にすることなく、皿５０を洗うことができる。
本実施の形態において、出口１５が本体１０の下面１０Ｌに開口しているとしたが、出口１５が本体１０をなす円筒の外周面上に開口していてもよい。
本実施の形態において、出口１５と出口１７はそれぞれ一本の連続する円形の線状のスリットによって形成されているとしたが、出口１５と出口１７は、一本の連続する円形の線状のスリットでなくてもよい。
【００２３】
例えば、出口１５は、一本の連続して閉じた曲線状のスリットであってもよいし、一本の連続する多角形をなす線状のスリットであってもよい。下面１０Ｌ上において、出口１５のスリットが、出口１７のスリットを取り囲んでいればよい。出口１５のスリットが幾重にも出口１７のスリットを取り囲む構成であってもよい。
出口１７は、一本の連続して閉じた曲線状のスリットであってもよいし、一本の連続して閉じた多角形をなす線状のスリットであってもよいし、一本の直線状のスリットであってもよい。さらに、出口１５のスリットが複数本形成されていてもよいし、出口１７のスリットが複数本形成されていてもよい。
【００２４】
また、例えば、出口１５や出口１７が、図２（ｉｉ）の変形例１、図２（ｉｉｉ）の変形例２、図２（ｉｖ）の変形例３、図２（ｖ）の変形例４、図２（ｖｉ）の変形例５に示す構成であってもよい。
図２（ｉｉ）の変形例１に示すように、出口１７が、一個の丸い穴によって形成されていてもよい。
図２（ｉｉｉ）の変形例２に示すように、出口１５が、多重に形成された複数本の円形のスリットによって形成されていてもよい。また、図２（ｉｉｉ）の変形例２に示すように、出口１７が、多重に形成された複数本の円形の線状のスリットによって形成されていてもよい。
【００２５】
出口１５を多重に形成された複数本の円形の線状のスリットとすることにより、水流ＷＢからの飛沫ＷＤの飛び散り防止がより完全なものとなる。出口１７を多重に形成された複数本の円形の線状のスリットとすることにより、水流ＷＢが直接当たる面積を広げることができる。
図２（ｉｖ）の変形例３に示すように、出口１５が、複数本の弧を描く線状のスリットによって形成されており、これらのスリットが、スリットの長手方向に連続して並び、全体として円形をなしていてもよい。
かかる形状の出口１５であっても、出口１５の各スリットから流出する水流ＷＡは、落下するにつれて広がろうとするので、水流ＷＡが水の円筒を形成することになる。
【００２６】
また、図２（ｉｖ）の変形例３に示すように、出口１７が、複数本の弧を描く線状のスリットによって形成されており、これらのスリットが、スリットの長手方向に連続して並び、全体として円形をなしていてもよい。
図２（ｖ）の変形例４に示すように、出口１７が、一本の湾曲した線状のスリットによって形成されていてもよい。出口１５は、一本の輪状に連続して閉じた線状のスリットであり、出口１５が出口１７の周囲を取り囲んでいる。なお、出口１７は、一本の直線状のスリットによって形成されていてもよい。
【００２７】
図２（ｖｉ）の変形例５に示すように、出口１５が、複数本の湾曲した線状のスリットによって形成されており、これらのスリットが、長手方向に連続して並び、全体として出口１７の周囲を取り囲んでいてもよい。
また、図２（ｖｉ）の変形例５に示すように、出口１７が、複数本の湾曲した線状のスリットによって形成されており、これらのスリットが、スリットの長手方向に連続して並んでいてもよい。出口１７をなす複数本の線状のスリットが、全体として一本の直線状をなして並んでいてもよい。
【産業上の利用可能性】
【００２８】
上記のような蛇口用アタッチメントであるので、水道の蛇口から流出する水の飛び散りを防止する蛇口用アタッチメントとして有用である。
【符号の説明】
【００２９】
１    蛇口用アタッチメント
１０    本体
１０Ｕ    本体の上面
１０Ｌ    本体の下面
１２    水路
１４    第１の分岐水路
１５    第１の分岐水路の出口
１６    第２の分岐水路
１７    第２の分岐水路の出口
１９、２０    可変絞り弁
２２    蛇口接続部
２３    雌螺子
２３Ｈ    雌螺子の螺子穴
２４    雄螺子
２４Ｈ    雄螺子の穴
４０    水道の蛇口
ＷＡ    第１の分岐水路の出口から流出する略円筒形の水流
ＷＢ    第２の分岐水路の出口から流出する略円筒形の水流
ＷＤ    第２の分岐水路の出口から流出した水流から周囲に飛び散ろうとする水の飛沫
【図１】
0003165452.tif 000003
【図２】
0003165452.tif 000004
【図３】
0003165452.tif 000005